(57)【要約】【課題】複数の貯蔵室扉の全てを開かなくとも貯蔵容器内に貯蔵物を出し入れすることができ、貯蔵物の出し入れの際における貯蔵室内の温度上昇を抑制することができる冷蔵庫を提供する。【解決手段】本実施形態に係る冷蔵庫は、貯蔵室と、複数の貯蔵室扉と、第１貯蔵エリアと、第２貯蔵エリアと、第２貯蔵エリア内に設けられる貯蔵容器と、貯蔵容器の前部を開閉する複数の容器扉と、を備え、貯蔵室扉が前面開口部を閉塞した閉塞状態において、一の貯蔵室扉と一の容器扉とが前後方向に沿って相互に対向し、他の貯蔵室扉と他の容器扉とが前後方向に沿って相互に対向し、一の貯蔵室扉が前面開口部を開放した開放状態において一の容器扉が開放可能であり、他の貯蔵室扉が前面開口部を開放した開放状態において他の容器扉が開放可能である。【選択図】図３
2020060310.tif 000002
【特許請求の範囲】
【請求項１】
冷蔵庫本体に設けられた貯蔵室と、
前記貯蔵室の前面開口部を開閉するものであって、前記冷蔵庫本体の横方向に沿って分割されている複数の貯蔵室扉と、
前記貯蔵室内において前記冷蔵庫本体の横方向に沿って連続する第１貯蔵エリアと、
前記貯蔵室内において前記第１貯蔵エリア以外の部分に設けられる第２貯蔵エリアと、
前記第２貯蔵エリア内に設けられる貯蔵容器と、
前記貯蔵容器の前部を開閉するものであって、前記冷蔵庫本体の横方向に沿って分割されている複数の容器扉と、
を備え、
複数の前記貯蔵室扉が前記前面開口部を閉塞した閉塞状態において、一の前記貯蔵室扉と一の前記容器扉とが前後方向に対向し、且つ、他の前記貯蔵室扉と他の前記容器扉とが前後方向に対向するように構成されているとともに、
一の前記貯蔵室扉が前記前面開口部を開放した開放状態において、一の前記容器扉が開放可能である冷蔵庫。
【請求項２】
前記第１貯蔵エリアは、複数の前記貯蔵室扉が前記前面開口部を閉塞した閉塞状態において、複数の前記貯蔵室扉の境界を横方向に跨るように設けられている請求項１に記載の冷蔵庫。
【請求項３】
前記容器扉は、前記貯蔵容器の前部において回動可能またはスライド移動可能に設けられている請求項１または２に記載の冷蔵庫。
【請求項４】
複数の前記容器扉は、共通の回動軸によって回動可能に設けられている請求項３に記載の冷蔵庫。
【請求項５】
複数の前記容器扉の間に仕切り部を備える請求項１から４の何れか１項に記載の冷蔵庫。
【請求項６】
前記仕切り部は、貯蔵物を貯蔵可能な容器状である請求項５に記載の冷蔵庫。
【請求項７】
１つの前記貯蔵容器の前部に複数の前記容器扉が設けられている請求項１から６の何れか１項に記載の冷蔵庫。
【請求項８】
前記第２貯蔵エリアは、前記冷蔵庫本体の上下方向に沿って分割されている複数の分割貯蔵エリアを有し、
一の前記分割貯蔵エリアには製氷用の給水タンクが設けられ、
他の前記分割貯蔵エリアには１つの前記貯蔵容器が設けられ、この１つの前記貯蔵容器の前部に複数の前記容器扉が設けられている請求項１から７の何れか１項に記載の冷蔵庫。
【請求項９】
前記貯蔵室扉の内面において前記貯蔵容器に対向する部分に、ドアポケットが備えられていない無ドアポケット部が設けられている請求項１から８の何れか１項に記載の冷蔵庫。
【請求項１０】
前記貯蔵容器は、前記第２貯蔵エリア内に前記冷蔵庫本体の前後方向に沿って出し入れ可能に収容される引き出し容器であり、
前記貯蔵室扉の内面において前記第２貯蔵エリアから引き出された前記引き出し容器が当接可能な部分に、当接した前記引き出し容器をスライド移動可能に案内する案内部を備える請求項１から９の何れか１項に記載の冷蔵庫。
【発明の詳細な説明】
【技術分野】
【０００１】
本実施形態は、冷蔵庫に関する。
【背景技術】
【０００２】
従来より、冷蔵庫本体に設けられた貯蔵室の内部に複数の貯蔵エリアを設けた冷蔵庫が考えられている。例えば、特許文献１に開示されている冷蔵庫は、貯蔵室の一例である冷蔵室の内部に、第１貯蔵エリアとして冷蔵エリア、および、第２貯蔵エリアとしてチルドエリアを設けた構成となっている。
【先行技術文献】
【特許文献】
【０００３】
【特許文献１】特開２０１５−１０２３２０号公報
【発明の概要】
【発明が解決しようとする課題】
【０００４】
ところで、近年の冷蔵庫において、冷蔵室の前面開口部を開閉する冷蔵室扉は、冷蔵庫本体の横方向に沿って２つに分割されている、いわゆる観音開き式の２つの扉で構成されることが一般的である。一方、チルドエリア内に設けられる貯蔵容器は、冷蔵庫本体の横方向に沿う長尺な１つの容器で構成されることが一般的であり、また、この貯蔵容器の前部を開閉する容器扉も、冷蔵庫本体の横方向に沿う長尺な１つの扉で構成されることが一般的である。そのため、使用者は、貯蔵容器内に貯蔵物を出し入れする際には、２つの冷蔵室扉の双方を開く必要があり、２つの冷蔵室扉を開くことに伴い、冷蔵室内の温度が上昇してしまうという課題が生じている。
【０００５】
本実施形態は、複数の貯蔵室扉の全てを開かなくとも貯蔵容器内に貯蔵物を出し入れすることができ、貯蔵物の出し入れの際における貯蔵室内の温度上昇を抑制することができる冷蔵庫を提供する。
【課題を解決するための手段】
【０００６】
本実施形態に係る冷蔵庫は、冷蔵庫本体に設けられた貯蔵室と、前記貯蔵室の前面開口部を開閉するものであって、前記冷蔵庫本体の横方向に沿って分割されている複数の貯蔵室扉と、前記貯蔵室内において前記冷蔵庫本体の横方向に沿って連続する第１貯蔵エリアと、前記貯蔵室内において前記第１貯蔵エリア以外の部分に設けられる第２貯蔵エリアと、前記第２貯蔵エリア内に設けられる貯蔵容器と、前記貯蔵容器の前部を開閉するものであって、前記冷蔵庫本体の横方向に沿って分割されている複数の容器扉と、を備えている。そして、複数の前記貯蔵室扉が前記前面開口部を閉塞した閉塞状態において、一の前記貯蔵室扉と一の前記容器扉とが前後方向に沿って相互に対向し、且つ、他の前記貯蔵室扉と他の前記容器扉とが前後方向に沿って相互に対向するように構成されている。そして、一の前記貯蔵室扉が前記前面開口部を開放した開放状態において、一の前記容器扉が開放可能であり、他の前記貯蔵室扉が前記前面開口部を開放した開放状態において、他の前記容器扉が開放可能である。
【図面の簡単な説明】
【０００７】
【図１】第１実施形態に係る冷蔵庫の要部の構成例を概略的に示す縦断側面図
【図２】第１実施形態に係る冷蔵庫の要部の構成例を概略的に示す正面図
【図３】第１実施形態に係る冷蔵庫の要部の構成例を概略的に示す平面図
【図４】第１実施形態に係る冷蔵庫において一の貯蔵室扉を開放した状態例を概略的に示す平面図
【図５】第１実施形態に係る冷蔵庫において他の貯蔵室扉を開放した状態例を概略的に示す平面図
【図６】第２実施形態に係る冷蔵庫の要部の構成例を概略的に示す平面図
【図７】第２実施形態に係る冷蔵庫において一の貯蔵室扉を開放した状態例を概略的に示す平面図
【図８】第３実施形態に係る冷蔵庫の要部の構成例を概略的に示す平面図（その１）
【図９】第３実施形態に係る冷蔵庫の要部の構成例を概略的に示す平面図（その２）
【図１０】第４実施形態に係る冷蔵庫の要部の構成例を概略的に示す正面図
【発明を実施するための形態】
【０００８】
以下、冷蔵庫に係る複数の実施形態について図面を参照しながら説明する。なお、複数の実施形態において実質的に同一の要素には同一の符号を付し、説明を省略する。
【０００９】
（第１実施形態）
図１，図２，図３に例示する冷蔵庫１０は、その外郭を構成する矩形箱状の断熱箱体１１の内部に複数の貯蔵室を備えている。断熱箱体１１は、冷蔵庫１０の本体部を構成する冷蔵庫本体の一例であり、内箱と外箱との間に真空断熱パネルや発泡ウレタンなどの断熱材を備えた構成である。断熱箱体１１には、例えば食品類などの貯蔵物を収容する貯蔵室として、冷蔵温度帯に維持される冷蔵室１２が設けられている。また、詳しい図示は省略するが、断熱箱体１１には、貯蔵室として、さらに、冷蔵温度帯に維持される野菜室、冷凍温度帯に維持される冷凍室、小冷凍室、製氷室などの各種の貯蔵室が設けられている。
【００１０】
また、冷蔵庫１０は、冷蔵室１２の前面開口部１３を開閉する冷蔵室扉２１，２２を備えている。冷蔵室扉２１，２２は、断熱箱体１１の横方向、換言すれば、冷蔵室１２の横方向に沿って複数、この場合、２つに分割されており、いわゆる観音開き式の２つの扉により構成されている。冷蔵室扉２１，２２は、冷蔵室１２の前面開口部１３の左右の両端部に設けられている回動軸２３，２４によって、図３に矢印Ｒで例示するように左右方向に回動可能に支持されている。なお、詳しい図示は省略するが、冷蔵庫１０は、冷蔵室１２以外の貯蔵室についても、それぞれの前面開口部を開閉する、例えば引き出し式あるいは観音開き式の貯蔵室扉を備えている。
【００１１】
また、冷蔵庫１０は、複数の冷蔵室扉２１，２２の内面、この場合、冷蔵室扉２１，２２が冷蔵室１２の前面開口部１３を閉塞した閉塞状態において冷蔵室１２内側となる面に、複数のドアポケット２５を備えた構成となっている。ドアポケット２５は、上面が開放した箱状に設けられており、内部に食品類などの貯蔵物を収容可能となっている。また、冷蔵庫１０は、複数の冷蔵室扉２１，２２が冷蔵室１２の前面開口部１３を閉塞した閉塞状態において、冷蔵室扉２１，２２の内面のうち後述するチルドエリア３２、換言すれば、後述する引き出し容器４１に対向する部分に、無ドアポケット部２６，２７を設けている。この無ドアポケット部２６，２７は、冷蔵室扉２１，２２の内面においてドアポケット２５が備えられていない部分となっている。複数の冷蔵室扉２１，２２が冷蔵室１２の前面開口部１３を閉塞した閉塞状態において、無ドアポケット部２６，２７とチルドエリア３２との間には、所定の大きさの空間が形成される。
【００１２】
図２にも例示するように、冷蔵室１２の内部には、冷蔵エリア３１およびチルドエリア３２が設けられている。冷蔵エリア３１は、第１貯蔵エリアの一例であり、冷蔵室１２の内部空間の殆どの領域を占めている。また、冷蔵エリア３１は、冷蔵室１２内において断熱箱体１１の横方向に沿って連続する空間を形成している。即ち、冷蔵エリア３１内には、上下方向に延びる仕切りなどの部材が設けられておらず、断熱箱体１１の横方向に沿う連続した一連の空間が形成されている。また、図３に例示するように、冷蔵エリア３１は、冷蔵室扉２１，２２が冷蔵室１２の前面開口部１３を閉塞した閉塞状態において、これら冷蔵室扉２１，２２の境界Ｂ１を横方向に跨るように設けられている。なお、図１に例示するように、冷蔵エリア３１内には、例えば当該冷蔵エリア３１内を上下方向に仕切る載置棚３１ａなど、横方向に延びる部材を着脱可能に取り付けることが許容される。
【００１３】
チルドエリア３２は、第２貯蔵エリアの一例であり、冷蔵室１２内において冷蔵エリア３１以外の部分、この場合、冷蔵エリア３１の下方部分に設けられている。この場合、チルドエリア３２は、冷蔵室１２の内部空間の底部において、断熱箱体１１の横方向に沿って連続する空間を形成している。即ち、チルドエリア３２内には、上下方向に延びる仕切りなどの部材が設けられておらず、断熱箱体１１の横方向に沿う連続した一連の空間が形成されている。また、図３に例示するように、チルドエリア３２は、冷蔵室扉２１，２２が冷蔵室１２の前面開口部１３を閉塞した閉塞状態において、これら冷蔵室扉２１，２２の境界Ｂ１を横方向に跨るように設けられている。
【００１４】
そして、チルドエリア３２の内部には、引き出し容器４１が備えられている。引き出し容器４１は、例えば食品類などの貯蔵物を収容可能な貯蔵容器の一例であり、この場合、上面が開放した矩形箱状の容器として構成されている。引き出し容器４１は、チルドエリア３２の内部に、断熱箱体１１の前後方向、換言すれば、当該チルドエリア３２の前後方向に沿って出し入れ可能に収容されている。なお、引き出し容器４１は、その前面壁が側面壁および背面壁よりも低く形成されており、チルドエリア３２内から引き出されていない状態であっても、引き出し容器４１の前側から貯蔵物の出し入れが可能な構成となっている。
【００１５】
そして、このチルドエリア３２の前方には、当該チルドエリア３２内に収容されている引き出し容器４１の前部を開閉する容器扉５１，５２が設けられている。容器扉５１，５２は、断熱箱体１１の横方向、換言すれば、冷蔵室１２の横方向に沿って複数、この場合、上述した２つの冷蔵室扉２１，２２に対応して２つに分割されている。つまり、冷蔵庫１０は、１つの引き出し容器４１の前部に複数、この場合、２つの容器扉５１，５２を設けた構成となっている。
【００１６】
容器扉５１，５２は、チルドエリア３２内に収容されている引き出し容器４１の前部において回動可能に設けられている。即ち、チルドエリア３２の前部の上部には、断熱箱体１１の横方向、換言すれば、チルドエリア３２の横方向に沿って直線状に延びる１本の回動軸５３が設けられている。容器扉５１，５２は、この１本の共通の回動軸５３によって、図１に矢印Ｋで例示するように上下方向に回動可能に設けられている。なお、冷蔵庫１０は、容器扉５１を回動可能に支持する回動軸および容器扉５２を回動可能に支持する回動軸を、それぞれ別個に備える構成としてもよい。また、容器扉５１，５２は、左右方向に回動可能に設けてもよい。
【００１７】
また、図３に例示するように、容器扉５１，５２は、複数の冷蔵室扉２１，２２が冷蔵室１２の前面開口部１３を閉塞した閉塞状態において、冷蔵庫１０の正面側から見て、冷蔵室扉２１と冷蔵室扉２２との境界Ｂ１が容器扉５１と容器扉５２との境界Ｂ２に殆ど或いは完全に一致するように構成されている。即ち、複数の冷蔵室扉２１，２２が冷蔵室１２の前面開口部１３を閉塞した閉塞状態において、冷蔵室扉２１と冷蔵室扉２２との境界Ｂ１および容器扉５１と容器扉５２との境界Ｂ２は、冷蔵庫１０の前後方向に沿って殆どあるいは完全に重なるように構成されている。
【００１８】
また、複数の容器扉５１，５２は、複数の冷蔵室扉２１，２２が冷蔵室１２の前面開口部１３を閉塞した閉塞状態において、冷蔵庫１０の正面側から見て、一の冷蔵室扉２１と一の容器扉５１とが冷蔵庫１０の前後方向に沿って相互に対向し、且つ、一の冷蔵室扉２１と他の容器扉５２とが冷蔵庫１０の前後方向に沿って相互に対向しない構成となっている。また、複数の容器扉５１，５２は、複数の冷蔵室扉２１，２２が冷蔵室１２の前面開口部１３を閉塞した閉塞状態において、冷蔵庫１０の正面側から見て、他の冷蔵室扉２２と他の容器扉５２とが冷蔵庫１０の前後方向に沿って相互に対向し、且つ、他の冷蔵室扉２２と一の容器扉５１とが冷蔵庫１０の前後方向に沿って相互に対向しない構成となっている。
【００１９】
また、冷蔵庫１０は、複数の冷蔵室扉２１，２２が冷蔵室１２の前面開口部１３を閉塞した閉塞状態において、冷蔵庫１０の正面側から見て、一の冷蔵室扉２１と一の容器扉５１とが冷蔵庫１０の前後方向において重なり、他の冷蔵室扉２２と他の容器扉５２とが冷蔵庫１０の前後方向において重なるように構成されている。また、冷蔵庫１０は、複数の冷蔵室扉２１，２２が冷蔵室１２の前面開口部１３を閉塞した閉塞状態において、冷蔵庫１０の側面側から見て、一の冷蔵庫扉２１と他の冷蔵庫扉２２とが冷蔵庫１０の左右方向において重なり、閉塞状態にある一の容器扉５１と他の容器扉５２とが冷蔵庫１０の左右方向において重なるように構成されている。
【００２０】
このように構成される冷蔵庫１０は、図４に例示するように、一の冷蔵室扉２１が冷蔵室１２の前面開口部１３を開放した開放状態においては、使用者が冷蔵庫１０の前面側から前面開口部１３を介して一の容器扉５１を開放可能な状態となる。また、閉塞状態で維持されている他の冷蔵室扉２２に対応する他の容器扉５２は、開放不能な状態のまま維持される。また、冷蔵庫１０は、図５に例示するように、他の冷蔵室扉２２が冷蔵室１２の前面開口部１３を開放した開放状態においては、使用者が冷蔵庫１０の前面側から前面開口部１３を介して他の容器扉５２を開放可能な状態となる。また、閉塞状態で維持されている一の冷蔵室扉２１に対応する一の容器扉５１は、開放不能な状態のまま維持される。
【００２１】
本実施形態に係る冷蔵庫１０によれば、冷蔵室１２のチルドエリア３２内に１つの引き出し容器４１が収容されており、この引き出し容器４１の前部を開閉する容器扉５１，５２は、冷蔵室１２の前面開口部１３を開閉する複数、この場合、２つの冷蔵室扉２１，２２と同様の態様により、冷蔵室１２の横方向に沿って複数、この場合、冷蔵室扉２１，２２に対応して２つに分割されている。より詳細には、冷蔵庫１０は、複数の冷蔵室扉２１，２２が冷蔵室１２の前面開口部１３を閉塞した閉塞状態において、一の冷蔵室扉２１と一の容器扉５１とが前後方向に沿って相互に対向し、且つ、他の冷蔵室扉２２と他の容器扉５２とが前後方向に沿って相互に対向するように構成されている。そして、一の冷蔵室扉２１が冷蔵室１２の前面開口部１３を開放した開放状態においては、一の容器扉５１が開放可能な状態となり、一方、他の冷蔵室扉２２が冷蔵室１２の前面開口部１３を開放した開放状態においては、他の容器扉５２が開放可能な状態となる。
【００２２】
この構成によれば、使用者は、複数の冷蔵室扉２１，２２の全てを開かなくとも、冷蔵室扉２１およびこれに対応する容器扉５１を開くことで、引き出し容器４１に対する貯蔵物の出し入れを行うことができ、また、冷蔵室扉２２およびこれに対応する容器扉５２を開くことで、引き出し容器４１に対する貯蔵物の出し入れを行うことができる。このように、冷蔵庫１０によれば、複数の冷蔵室扉２１，２２のうち何れか一方を閉じたままの状態であっても、引き出し容器４１に対する貯蔵物の出し入れを行うことができる。よって、引き出し容器４１に対する貯蔵物の出し入れの際における冷蔵室１２内の温度上昇を効果的に抑制することができる。
【００２３】
また、冷蔵庫１０によれば、冷蔵室１２内において、冷蔵エリア３１は、冷蔵室１２の前面開口部１３を閉塞した閉塞状態における複数の冷蔵室扉２１，２２の境界Ｂ１を横方向に跨るように連続して設けられている。この構成によれば、使用者は、複数の冷蔵室扉２１，２２の何れか一方を開くことにより、開かれていない冷蔵室扉２１，２２の裏側にも手を延ばすことができ、冷蔵エリア３１内の広範囲にわたって貯蔵物を出し入れすることができる。このように、冷蔵庫１０によれば、複数の冷蔵室扉２１，２２のうち何れか一方を閉じたままの状態であっても、冷蔵エリア３１に対する貯蔵物の出し入れを行うことができ、冷蔵エリア３１に対する貯蔵物の出し入れの際における冷蔵室１２内の温度上昇も効果的に抑制することができる。
【００２４】
また、冷蔵庫１０によれば、容器扉５１，５２は、引き出し容器４１の前部において回動可能に設けられている。この構成によれば、使用者は、容器扉５１，５２の開閉を容易に行うことができ、引き出し容器４１に対する貯蔵物の出し入れを円滑に行うことができる。また、引き出し容器４１に対する貯蔵物の出し入れが円滑に行われることで、冷蔵室扉２１あるいは冷蔵室扉２２が開かれている期間を短くすることができ、冷蔵室１２内の温度上昇を一層抑制することができる。
【００２５】
また、冷蔵庫１０によれば、複数の容器扉５１，５２は、１本の共通の回動軸５３によって回動可能に設けられている。この構成によれば、複数の容器扉５１，５２を回動可能に設けるための構成を、より少ない部品点数によって実現することができる。
【００２６】
また、冷蔵庫１０によれば、チルドエリア３２内に収容されている１つの引き出し容器４１の前部に複数の容器扉５１，５２が設けられている。この構成によれば、使用者は、複数の容器扉５１，５２の全てを開かなくとも、容器扉５１を開くことで、引き出し容器４１に対する貯蔵物の出し入れを行うことができ、また、容器扉５２を開くことで、引き出し容器４１に対する貯蔵物の出し入れを行うことができる。このように、冷蔵庫１０によれば、複数の容器扉５１，５２のうち何れか一方を閉じたままの状態であっても、引き出し容器４１に対する貯蔵物の出し入れを行うことができ、引き出し容器４１に対する貯蔵物の出し入れの際におけるチルドエリア３２内の温度上昇、ひいては、冷蔵室１２内の温度上昇を効果的に抑制することができる。
【００２７】
（第２実施形態）
図６に例示するように、第２実施形態では、冷蔵庫１０は、複数の冷蔵室扉２１，２２および複数の容器扉５１，５２に対応して、複数の引き出し容器６１，６２を備えた構成となっている。つまり、冷蔵庫１０は、複数の冷蔵室扉２１，２２が冷蔵室１２の前面開口部１３を閉塞した閉塞状態において、複数の引き出し容器６１，６２の前部に、複数の容器扉５１，５２および複数の冷蔵室扉２１，２２が配置される構成となっている。
【００２８】
また、引き出し容器６１，６２は、複数の冷蔵室扉２１，２２が冷蔵室１２の前面開口部１３を閉塞した閉塞状態において、冷蔵庫１０の正面側から見て、引き出し容器６１と引き出し容器６２との境界Ｂ３が冷蔵室扉２１と冷蔵室扉２２との境界Ｂ１および容器扉５１と容器扉５２との境界Ｂ２に殆ど或いは完全に一致するように構成されている。即ち、冷蔵庫１０は、複数の冷蔵室扉２１，２２が冷蔵室１２の前面開口部１３を閉塞した閉塞状態において、冷蔵室扉２１と冷蔵室扉２２との境界Ｂ１、容器扉５１と容器扉５２との境界Ｂ２、および、引き出し容器６１と引き出し容器６２との境界Ｂ３が、冷蔵庫１０の前後方向に沿って殆どあるいは完全に重なるように構成されている。
【００２９】
また、冷蔵庫１０は、冷蔵室扉２１，２２の内面においてチルドエリア３２から引き出された引き出し容器６１，６２が当接可能な部分、この場合、無ドアポケット部２６，２７のうち回動軸２３，２４側の部分に傾斜面部７１，７２を備えている。傾斜面部７１，７２は、案内部の一例であり、無ドアポケット部２６，２７のうち回動軸２３，２４側の部分から回動軸２３，２４側とは反対側に向かって直線状に傾斜した平面部となっている。また、傾斜面部７１，７２は、回動軸２３，２４側が回動軸２３，２４側とは反対側よりも深く切り欠かれた平面部となっている。なお、傾斜面部７１，７２は、平面状に限られるものではなく、例えば、湾曲面状に形成してもよい。
【００３０】
図７に例示するように、冷蔵室扉２１および容器扉５１が開かれて、これら冷蔵室扉２１および容器扉５１に対応する引き出し容器６１がチルドエリア３２内から引き出されたときにおいて、冷蔵室扉２１の回動角度が比較的小さい場合、少なくとも、閉塞状態からの回動角度が９０度以下である場合には、引き出される引き出し容器６１の前端部が傾斜面部７１に当接する可能性がある。そして、引き出し容器６１の前端部が傾斜面部７１に当接した場合において、使用者が、さらに引き出し容器６１を手前側に引き出すと、傾斜面部７１に当接した引き出し容器６１の前端部が当該傾斜面部７１の表面をスライドしながら移動する。これにより、引き出し容器６１を引き出そうとする力が冷蔵室扉２１を開こうとする方向に作用するようになり、引き出し容器６１を引き出しながら冷蔵室扉２１を開くことができる。
【００３１】
なお、詳しい説明は省略するが、冷蔵室扉２２および容器扉５２が開かれて、これら冷蔵室扉２２および容器扉５２に対応する引き出し容器６２がチルドエリア３２内から引き出される場合においても、引き出される引き出し容器６２の前端部が傾斜面部７２に当接する場合には、さらに引き出し容器６２が引き出されることに伴い、冷蔵室扉２２を開くことが可能である。
【００３２】
冷蔵庫１０によれば、冷蔵室１２のチルドエリア３２内に設けられる貯蔵容器も、複数の冷蔵室扉２１，２２および複数の容器扉５１，５２と同様の態様により分割されて、複数の引き出し容器６１，６２として備えられている。この構成によれば、使用者は、冷蔵室扉２１およびこれに対応する容器扉５１を開くことで、引き出し容器６１に対する貯蔵物の出し入れを行うことができ、また、冷蔵室扉２２およびこれに対応する容器扉５２を開くことで、引き出し容器６２に対する貯蔵物の出し入れを行うことができる。このように、冷蔵庫１０によれば、複数の冷蔵室扉２１，２２のうち何れか一方を閉じたままの状態であっても、引き出し容器６１あるいは引き出し容器６２に対する貯蔵物の出し入れを行うことができ、引き出し容器６１，６２に対する貯蔵物の出し入れの際における冷蔵室１２内の温度上昇を効果的に抑制することができる。
【００３３】
また、冷蔵庫１０によれば、引き出し容器６１，６２をチルドエリア３２内から引き出した状態で貯蔵物の出し入れを行うことができ、引き出し容器６１，６２に対する貯蔵物の出し入れを一層行いやすくすることができる。
【００３４】
また、使用者は、複数の引き出し容器６１，６２のうち、貯蔵物を収容したい引き出し容器を引き出し、一方、引き出しが不要な引き出し容器はチルドエリア３２内に残したままとすることができる。よって、引き出しが不要な引き出し容器６１，６２内の温度上昇を効果的に抑制することができる。
【００３５】
また、冷蔵庫１０によれば、冷蔵室扉２１，２２の内面において引き出し容器６１，６２に対向する部分に、ドアポケット２５が備えられていない無ドアポケット部２６，２７が設けられている。この構成によれば、チルドエリア３２内から引き出し容器６１，６２を引き出す際に、その引き出された引き出し容器６１，６２がドアポケット２５に衝突することを抑制することができ、引き出し容器６１，６２の引き出しを円滑に行うことができる。
【００３６】
また、冷蔵庫１０によれば、冷蔵室扉２１，２２の内面においてチルドエリア３２内から引き出された引き出し容器６１，６２が当接可能な部分に、当接した引き出し容器６１，６２をスライド移動可能に案内する傾斜面部７１，７２を備えている。この構成によれば、チルドエリア３２内から引き出されて傾斜面部７１，７２に当接した引き出し容器６１，６２が、さらに前側に引き出されることに伴い、引き出し容器６１，６２を引き出そうとする力を傾斜面部７１，７２を介して冷蔵室扉２１，２２を開けようとする力として作用させることができる。よって、引き出し容器４１を引き出そうとする力を利用して冷蔵室扉２１，２２を開けることができる。
【００３７】
（第３実施形態）
図８に例示するように、第３実施形態では、冷蔵庫１０は、チルドエリア３２内に収容される複数の引き出し容器６１，６２の間に仕切り部８１を備えている。仕切り部８１は、チルドエリア３２の横方向のほぼ中央部において冷蔵庫１０の前後方向に沿って直線状に延びる板状の部材である。また、仕切り部８１は、冷蔵庫１０の正面側から見て、複数の容器扉５１，５２の間に位置している。即ち、仕切り部８１は、冷蔵庫１０の正面側から見て、容器扉５１と容器扉５２との境界Ｂ２に殆どあるいは完全に一致するように配置されている。
【００３８】
冷蔵庫１０によれば、引き出し容器６１，６２の何れか一方がチルドエリア３２内から引き出された状態において、引き出されていない引き出し容器側に外気が流れ込むことを仕切り部８１によって抑制することができる。よって、引き出しが不要な引き出し容器６１，６２内の温度上昇を効果的に抑制することができる。
【００３９】
なお、図９に例示するように、冷蔵庫１０は、板状の仕切り部８１ではなく、貯蔵物を貯蔵可能な容器状の仕切り部８２を備える構成としてもよい。この仕切り部８２は、チルドエリア３２の内部に、断熱箱体１１の前後方向、換言すれば、当該チルドエリア３２の前後方向に沿って出し入れ可能に収容されている。即ち、この仕切り部８２も、いわゆる引き出し式の容器である。そして、仕切り部８２は、複数の冷蔵室扉２１，２２が開放され、且つ、複数の容器扉５１，５２が開放されると、冷蔵庫１０の前側に引き出し可能な状態となるようになっている。この構成によれば、仕切り部８２内にも貯蔵物を収容することができ、冷蔵庫１０全体として、貯蔵物の収容可能容量の増大を図ることができる。
【００４０】
また、詳しい図示は省略するが、冷蔵庫１０は、第１実施形態において例示した１つの引き出し容器４１の内部に仕切り部を備える構成としてもよい。この場合、仕切り部は、引き出し容器４１内において横方向に位置調整可能に構成してもよい。また、１つの引き出し容器４１の内部に設ける仕切り部は、板状であってもよいし、容器状であってもよい。
【００４１】
（第４実施形態）
図１０に例示するように、第４実施形態では、チルドエリア３２は、断熱箱体１１の上下方向に沿って複数に分割されており、複数、この場合、２つの分割貯蔵エリア３２Ａ，３２Ｂを有している。そして、これら複数の分割貯蔵エリア３２Ａ，３２Ｂのうち、一の分割貯蔵エリアである分割貯蔵エリア３２Ａは、チルドエリア３２の下段を構成している。この場合、分割貯蔵エリア３２Ａ内には、製氷用の水を製氷室に供給する給水タンク９１が収容されている。また、分割貯蔵エリア３２Ａ内には、引き出し容器９２が収容されている。給水タンク９１および引き出し容器９２は、分割貯蔵エリア３２Ａの内部において左右方向に並んで収容されている。また、分割貯蔵エリア３２Ａは、当該分割貯蔵エリア３２Ａ内に収容されている引き出し容器９２の前部を開閉する容器扉を設けた構成としてもよいし、設けない構成としてもよい。
【００４２】
一方、複数の分割貯蔵エリア３２Ａ，３２Ｂのうち、他の分割貯蔵エリアである分割貯蔵エリア３２Ｂは、チルドエリア３２の上段を構成している。この場合、分割貯蔵エリア３２Ｂ内には、１つの引き出し容器９３が収容されている。そして、この１つの引き出し容器９３の前部には、複数、この場合、２つの容器扉９４，９５が設けられている。これら容器扉９４，９５は、冷蔵室１２の前面開口部１３を開閉する複数の冷蔵室扉２１，２２と同様の態様により、冷蔵室１２の横方向に沿って複数、この場合、冷蔵室扉２１，２２に対応して２つに分割されている。また、容器扉９４，９５は、１つの共通の回動軸５３によって上下方向に回動可能に設けられている。
【００４３】
そして、冷蔵庫１０は、複数の冷蔵室扉２１，２２が冷蔵室１２の前面開口部１３を閉塞した閉塞状態において、一の冷蔵室扉２１と一の容器扉９４とが前後方向に沿って相互に対向し、且つ、他の冷蔵室扉２２と他の容器扉９５とが前後方向に沿って相互に対向するように構成されている。そして、一の冷蔵室扉２１が冷蔵室１２の前面開口部１３を開放した開放状態においては、使用者が冷蔵庫１０の前面側から前面開口部１３を介して一の容器扉９４が開放可能な状態となり、一方、他の冷蔵室扉２２が冷蔵室１２の前面開口部１３を開放した開放状態においては、使用者が冷蔵庫１０の前面側から前面開口部１３を介して他の容器扉９５が開放可能な状態となる。
【００４４】
この構成によっても、使用者は、複数の冷蔵室扉２１，２２の全てを開かなくとも、冷蔵室扉２１およびこれに対応する容器扉９４を開くことで、引き出し容器９３に対する貯蔵物の出し入れを行うことができ、また、冷蔵室扉２２およびこれに対応する容器扉９５を開くことで、引き出し容器９３に対する貯蔵物の出し入れを行うことができる。このように、冷蔵庫１０によれば、複数の冷蔵室扉２１，２２のうち何れか一方を閉じたままの状態であっても、引き出し容器９３に対する貯蔵物の出し入れを行うことができ、引き出し容器９３に対する貯蔵物の出し入れの際における冷蔵室１２内の温度上昇を効果的に抑制することができる。なお、冷蔵庫１０は、分割貯蔵エリア３２Ｂの内部に、冷蔵庫扉２１，２２および容器扉９４，９５に対応させて、複数の引き出し容器を分割して備える構成としてもよい。
【００４５】
（その他の実施形態）
なお、本実施形態は、上述した複数の実施形態に限定されるものではなく、その要旨を逸脱しない範囲で、種々の変形または拡張をすることができる。例えば、上述した複数の実施形態を適宜組み合わせて実施してもよい。また、貯蔵容器の前部を開閉する容器扉は、回動可能に設ける構成に限られず、例えば、断熱箱体１１の左右方向あるいは上下方向に沿ってスライド移動可能に設けてもよい。また、冷蔵庫１０は、容器扉を、３つ以上の複数に分割した構成としてもよい。また、貯蔵容器は、引き出し式の容器に限られるものではなく、例えば嵌め込み式などの引き出し式以外の容器であってもよい。また、本実施形態は、冷蔵室１２以外の貯蔵室にも適用可能である。
【００４６】
また、冷蔵庫１０は、複数の貯蔵室扉の大きさ、特に、冷蔵庫１０の左右方向における大きさを異ならせた構成としてもよい。この場合、冷蔵庫１０は、大きさが異なる貯蔵室扉の分割態様に合わせて、複数の容器扉の大きさ、特に、冷蔵庫１０の左右方向における大きさも異ならせるように構成するとよい。また、冷蔵庫１０は、一の貯蔵室扉が前面開口部を開放した開放状態において、一の容器扉が開放可能であり、且つ、他の貯蔵室扉が前面開口部を開放した開放状態において、他の容器扉が開放可能である構成としてもよい。
【００４７】
以上、本発明の複数の実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００４８】
図面中、１０は冷蔵庫、１１は断熱箱体（冷蔵庫本体）、１２は冷蔵室（貯蔵室）、１３は貯蔵室の前面開口部、２１，２２は冷蔵室扉（貯蔵室扉）、２５はドアポケット、２６，２７は無ドアポケット部、３１は冷蔵エリア（第１貯蔵エリア）、３２はチルドエリア（第２貯蔵エリア）、３２Ａ，３２Ｂは分割貯蔵エリア、４１，６１，６２，９２，９３は引き出し容器（貯蔵容器）、５１，５２，９４，９５は容器扉、５３は回動軸、７１，７２は傾斜面部（案内部）、８１，８２は仕切り部、９１は給水タンクを示す。
【図１】
2020060310.tif 000003
【図２】
2020060310.tif 000004
【図３】
2020060310.tif 000005
【図４】
2020060310.tif 000006
【図５】
2020060310.tif 000007
【図６】
2020060310.tif 000008
【図７】
2020060310.tif 000009
【図８】
2020060310.tif 000010
【図９】
2020060310.tif 000011
【図１０】
2020060310.tif 000012